(57)【要約】【課題】板状電極に破砕片が付着するのを防止することによって破砕片の選別精度の低下を抑制できる静電選別装置を提供する。【解決手段】静電選別装置１０は、板状電極１６を取り囲むように配置され、外周面３０Ｓがドラム電極１４に対向するように設置された無端ベルト３０と、無端ベルト３０が架け渡され駆動ローラ３２Ａおよび従動ローラ３２Ｂからなるローラ対３２とを備え、無端ベルト３０は静電場Ｍを通過する際に板状電極１６に引き寄せられる破砕片ＰＳを外周面３０Ｓで受け止めるとともに、ローラ対３２の回転に伴って所定の回転方向Ｃに沿って循環移動することにより、板状電極１６がドラム電極１４と無端ベルト３０を間に挟んで対向する領域の外に破砕片ＰＳを搬送する。【選択図】図１
2019209319.tif 000002
【特許請求の範囲】
【請求項１】
帯電された複数種類のプラスチックの破砕片を回転搬送するドラム電極と、前記ドラム電極との間で静電場を形成する板状電極とを備え、前記静電場を通過させることにより前記ドラム電極によって回転搬送される前記破砕片を前記プラスチックの種類ごとに選別する静電選別装置であって、
前記板状電極を取り囲むととともに外周面がドラム電極に対向するように設置された無端ベルトと、
第１ローラおよび第２ローラによって構成され、前記無端ベルトが架け渡されたローラ対と、
を備え、
前記無端ベルトは、前記静電場を通過する際に前記板状電極に引き寄せられる前記破砕片を前記外周面で受け止めるとともに、前記ローラ対の回転に伴って所定方向に循環移動することにより、前記板状電極が前記ドラム電極と前記無端ベルトを間に挟んで対向する領域の外側に前記破砕片を搬送することを特徴とする静電選別装置。
【請求項２】
プラスチックおよび金属の破砕片を回転搬送するドラム電極と、前記ドラム電極によって回転搬送される前記破砕片をコロナ放電により帯電させるコロナ電極と、前記コロナ電極よりも下流側に配置され、前記ドラム電極との間で静電場を形成する板状電極とを備え、前記静電場を通過することにより前記破砕片を前記プラスチックと前記金属とに選別する静電選別装置であって、
前記板状電極を取り囲むとともに外周面がドラム電極と対向するように設置された無端ベルトと、
第１ローラおよび第２ローラによって構成され、前記無端ベルトが架け渡されたローラ対と、
を備え、
前記無端ベルトは、前記静電場を通過する際に前記板状電極に引き寄せられる前記破砕片を前記外周面で受け止めるとともに、前記ローラ対の回転に伴って所定方向に循環移動することにより、前記板状電極が前記ドラム電極と前記無端ベルトを間に挟んで対向する領域の外側に前記破砕片を搬送することを特徴とする静電選別装置。
【請求項３】
前記第２ローラとの間で前記無端ベルトを挟み込むように配置され、前記無端ベルトに付着した前記破砕片を取り除く清掃手段を備える、
請求項１または２に記載の静電選別装置。
【請求項４】
前記無端ベルトは樹脂製部材からなり、
前記第１ローラおよび前記第２ローラのうち少なくとも一方のローラは、軸方向における中央部の直径が軸端側の直径よりも大きくなるように構成されている、
請求項１〜３のいずれか１項に記載の静電選別装置。
【請求項５】
前記第１ローラおよび前記第２ローラには、ガイド溝が設けられており、
前記無端ベルトは、前記ガイド溝によって案内されるリブが内周面に設けられている、
請求項１〜４のいずれか１項に記載の静電選別装置。
【請求項６】
前記ローラ対から前記無端ベルトが外れないように前記無端ベルトが蛇行したときに前記無端ベルトの端部と当接して前記無端ベルトの移動範囲を規制する規制手段を備えている、
請求項１〜３のいずれか１項に記載の静電選別装置。
【請求項７】
前記規制手段は、前記ローラ対を回転可能に支持する支持枠により構成されている、
請求項６に記載の静電選別装置。
【発明の詳細な説明】
【技術分野】
【０００１】
本発明は、複数種類のプラスチックの破砕片を種類ごとに選別する、または、プラスチックの破砕片および金属の破砕片からなる混合物をプラスチックの破砕片と金属の破砕片とに選別する静電選別装置に関する。
【背景技術】
【０００２】
近年、プラスチックの廃棄物をリサイクルするために同廃棄物を粉砕して破砕片とし、静電気を利用して破砕片をプラスチックの種類ごとに選別する静電選別装置が開発されている。
【０００３】
このような静電選別装置では、複数種類のプラスチックの破砕片からなる混合物を攪拌槽などに投入して攪拌することにより、帯電列により定まる極性・帯電量で各々の種類ごとに帯電させる。そして、帯電した各破砕片を所定方向に回転するドラム電極上に供給し、ドラム電極と同ドラム電極に対向する板状電極との間に形成される静電場を通過させることで、例えば、正に帯電した破砕片は負極であるドラム電極に吸引され、負に帯電した破砕片はドラム電極に対して反発力を生じ正極である板状電極に引き寄せられる。そして、この結果、ドラム電極の回転に伴って正に帯電した破砕片と負に帯電した破砕片とを各々異なるタイミングでドラム電極から離脱させることによりプラスチックの種類ごとに破砕片を選別する。
【０００４】
また、上述した複数種類のプラスチックの破砕片を種類ごとに選別する静電選別装置と同様に、プラスチックおよび金属の破砕片からなる混合物を帯電させた上で静電場を通過させることでプラスチックと金属の破砕片とに各々選別する静電選別装置も開発されている。
【０００５】
ところで、上述した板状電極に破砕片が吸着してしまうと同電極とドラム電極との間に形成される静電場の電界強度が不足し、各破砕片がドラム電極から離脱するタイミングのバラツキが大きくなる。このようにドラム電極から各破砕片が離脱するタイミングのバラツキが大きくなると各破砕片を精度よく種類ごとに選別することが難しくなる。
【０００６】
この点に関し、特許文献１にはドラム電極および板状電極が格納された箱体内に熱源を設け、当該熱源によってドラム電極などを加熱することにより箱体内の雰囲気温度を上昇させることにより箱体内の湿度の上昇を抑制することで各破砕片の帯電不足に起因して選別精度が低下するのを防止する静電選別装置が開示されている。
【先行技術文献】
【特許文献】
【０００７】
【特許文献１】特開２００１−３８２４８号公報
【発明の概要】
【発明が解決しようとする課題】
【０００８】
上記特許文献１に記載の静電選別装置では、湿度に起因する破砕片の帯電不足を抑制することはできるものの破砕片が板状電極に付着することは防止できない。このため、板状電極に破砕片が付着することによって板状電極とドラム電極との間に形成される静電場の電界強度が不足し、破砕片の選別精度が低下するという問題がある。
【０００９】
本発明は、板状電極に破砕片が付着するのを防止することによって破砕片の選別精度の低下を抑制できる静電選別装置を提供することを目的とする。
【課題を解決するための手段】
【００１０】
本発明の一態様に係る静電選別装置は、帯電された複数種類のプラスチックの破砕片を回転搬送するドラム電極と、ドラム電極との間で静電場を形成する板状電極とを備え、静電場を通過させることによりドラム電極によって回転搬送される破砕片をプラスチックの種類ごとに選別する静電選別装置であって、板状電極を取り囲むとともに外周面がドラム電極に対向するように設置された無端ベルトと、第1ローラおよび第２ローラによって構成され、無端ベルトが架け渡されたローラ対と、を備え、無端ベルトは、静電場を通過する際に板状電極に引き寄せられる破砕片を外周面で受け止めるとともに、ローラ対の回転に伴って所定方向に循環移動することにより、板状電極がドラム電極と無端ベルトを間に挟んで対向する領域の外側に破砕片を搬送することを特徴とする。
【００１１】
本発明の別態様に係る静電選別装置は、プラスチックおよび金属の破砕片を回転搬送するドラム電極と、ドラム電極によって回転搬送される破砕片をコロナ放電により帯電させるコロナ電極と、コロナ電極よりも下流側に配置され、ドラム電極との間で静電場を形成する板状電極とを備え、静電場を通過することにより破砕片をプラスチックと金属とに選別する静電選別装置であって、板状電極を取り囲むとともに外周面がドラム電極と対向するように設置された無端ベルトと、第１ローラおよび第２ローラによって構成され、無端ベルトが架け渡されたローラ対と、を備え、無端ベルトは、静電場を通過する際に板状電極に引き寄せられる破砕片を外周面で受け止めるとともに、ローラ対の回転に伴って所定方向に循環移動することにより、板状電極がドラム電極と無端ベルトを間に挟んで対向する領域の外側に破砕片を搬送することを特徴とする。
【００１２】
本発明の静電選別装置において、第２ローラとの間で無端ベルトを挟み込むように配置され、無端ベルトに付着した破砕片を取り除く清掃手段を備えてもよい。
【００１３】
本発明の静電選別装置において、無端ベルトは樹脂製部材からなり、第１ローラおよび第２ローラのうち少なくとも一方のローラは、軸方向における中央部の直径が軸端側の直径よりも大きくなるように構成されていてもよい。
【００１４】
本発明の静電選別装置において、第１ローラおよび第２ローラには、ガイド溝が設けられており、無端ベルトは、ガイド溝によって案内されるリブが内周面に設けられていてもよい。
【００１５】
本発明の静電選別装置において、ローラ対から無端ベルトが外れないように無端ベルトが蛇行したときに前記無端ベルトの端部に当接することで前記無端ベルトの移動範囲を規制する規制手段を備えていてもよい。
【００１６】
本発明の静電選別装置において、規制手段は、前記ローラ対を回転可能に支持する支持枠により構成してもよい。
【発明の効果】
【００１７】
本発明の一態様に係る静電選別装置によれば、静電場を通過する際に板状電極に引き寄せられる破砕片の一部は同電極に吸着しようとするが無端ベルトによって受け止められる。そして、無端ベルトによって受け止められた破砕片は、同ベルトの循環移動に伴って板状電極が無端ベルトを間に挟んでドラム電極と対向する領域の外側に搬送される。ドラム電極と対向する領域の外側では、同領域内よりも破砕片が板状電極に引き寄せられる力が小さくなるため破砕片は自重により下方に落下する。このように板状電極に破砕片が付着するのを防止することができるため破砕片の選別精度の低下を抑制できる。
【００１８】
本発明の別態様に係る静電選別装置によれば、静電場を通過する際に板状電極に引き寄せられる破砕片の一部は同電極に吸着しようとするが無端ベルトによって受け止められる。そして、無端ベルトによって受け止められた破砕片は、同ベルトの循環移動に伴って板状電極が無端ベルトを間に挟んでドラム電極と対向する領域の外側に搬送される。ドラム電極と対向する領域の外側では、同領域内よりも破砕片が板状電極に引き寄せられる力が小さくなるため破砕片は自重により下方に落下する。このように板状電極に破砕片が付着するのを防止することができるため破砕片の選別精度の低下を抑制できる。
【図面の簡単な説明】
【００１９】
【図１】本発明の第１実施形態である静電選別装置の全体構成図と、板状電極周辺の構成を示す部分拡大図を含む図である。
【図２】図２（ａ）は、図１に示すＢ方向から見た時の無端ベルトおよび板状電極の構成を示す図である。図２（ｂ）は、図２（ａ）に示すＦ−Ｆ線で切断したときの駆動ローラおよび無端ベルトの構成を示す図である。図２（ｃ）は、駆動ローラおよび無端ベルトの変形例を図２（ｂ）と同様に示す図である。
【図３】図３（ａ）は、ローラ対を各々回転可能に支持する支持枠の構成を示す図である。図３（ｂ）は、図３（ａ）に示す構成から無端ベルトを取り外した状態を示す図である。図３（ｃ）は、図３（ａ）に示す矢印Ｇの方向から見た場合の支持枠の側面構成を示す図である。
【図４】本発明の第２実施形態である静電選別装置の全体構成図である。
【発明を実施するための形態】
【００２０】
本発明の第１実施形態である静電選別装置について図面を参照しながら説明する。図１は、静電選別装置の全体構成図である。図１では、ポリスチレン樹脂の破砕片ＰＳを「□」マークで示すとともに、ＡＢＳ樹脂の破砕片ＡＢを「〇」マークで示す。図１に示すように、静電選別装置１０は、ポリスチレン樹脂の破砕片ＰＳとＡＢＳ樹脂の破砕片ＡＢの混合物が投入された攪拌槽１２と、攪拌槽１２の直下方に配置されたドラム電極１４と、ドラム電極１４との間で静電場Ｍを形成する板状電極１６とを備える。攪拌槽１２は、図示しない攪拌翼が設けられており、この攪拌翼によって攪拌されることにより各破砕片ＰＳ，ＡＢが帯電する。
【００２１】
図１に示すように、ドラム電極１４は、略円柱状の外観を有し、所定の回転方向Ａに沿って回転するように構成されるとともに接地されており、攪拌槽１２から供給トレー１３を介して供給される破砕片ＰＳ，ＡＢを回転搬送する役割を有する。また、ドラム電極１４の軸方向両端側（換言すると回転方向Ａと直交する方向における両端側）にはフランジ（不図示）が設けられている。これにより、破砕片ＰＳ，ＡＢがドラム電極１４の軸方向両端側からこぼれ落ちないようにしている。板状電極１６は、ドラム電極１４の斜め上方に配置されており、高電圧電源１８の正極が接続されている。これにより、板状電極１６を正極とし、ドラム電極１４を負極とする静電場Ｍが形成される。
【００２２】
上述したドラム電極１４と板状電極１６の下方には、仕切り板Ｓ１，Ｓ２が設置されており、ドラム電極１４によって回転搬送された破砕片ＰＳ，ＡＢを下方に設置された回収容器２２，２４，２６に各々案内する役割を有する。また、ドラム電極１４の回転方向Ａにおける最下流側には所定の回転方向Ｄに沿って回転する回転ブラシ２８が設けられており、この回転ブラシ２８によってドラム電極１４の外周面に残留する破砕片ＡＢが掃き落とされ、直下方に設置された回収容器２２に落下回収される。
【００２３】
次に、図１を用いて上述したポリスチレン樹脂およびＡＢＳ樹脂の破砕片ＰＳ，ＡＢの選別処理の流れを説明する。図１に示すように、各破砕片ＰＳ，ＡＢは、攪拌槽１２で攪拌されることにより、帯電列に従ってＡＢＳ樹脂の破砕片ＡＢが正に帯電し、ポリスチレン樹脂の破砕片ＰＳが負に帯電する。そして、各々の破砕片ＰＳ，ＡＢは供給トレー１３を介してドラム電極１４の最上部に供給される。各破砕片ＰＳ，ＡＢは、回転方向Ａに沿って回転搬送される。そして、板状電極１６とドラム電極１４との間に形成される静電場Ｍを通過することにより、負に帯電したポリスチレン樹脂の破砕片ＰＳが負極であるドラム電極１４に対して反発力を生じ、分離跳躍するとともに正極である板状電極１６の方に引き寄せられる。
【００２４】
この結果、ポリスチレン樹脂の破砕片は、ＡＢＳ樹脂の破砕片よりも回転方向Ａにおける上流側、換言すると、ドラム電極１４の比較的高い位置で同電極１４から離脱落下する。このため、側面視において、ポリスチレン樹脂の破砕片ＰＳは、主にドラム電極１４との間の水平距離が最も長い位置に設置された回収容器２６に落下回収される。
【００２５】
一方、正に帯電したＡＢＳ樹脂の破砕片ＡＢは負極であるドラム電極１４に引き寄せられるためポリスチレン樹脂の破砕片ＰＳよりも回転方向Ａにおける下流側、換言すると、ドラム電極１４の比較的低い位置で同電極１４から離脱することとなる。このため、主に、ドラム電極１４の直下方に設置されている回収容器２２に落下回収される。また、上述した両回収容器２２，２６の間に配置された回収容器２４には、ポリスチレン樹脂の破砕片ＰＳおよびＡＢＳ樹脂の破砕片ＡＢの双方が混在した状態で回収されることとなる。このため、回収容器２４に回収された破砕片ＰＳ，ＡＢは、再度攪拌槽１２に投入され選別処理される。
【００２６】
ここで、図２（ａ）は、図１に示すＢ方向から見たときの無端ベルト３０周辺の構成を示す図であり、図２（ｂ）は同図（ａ）に含まれるＦ−Ｆ線で切断したときの後述する駆動ローラおよび無端ベルト３０の構成を示す図である。図２（ａ）では、無端ベルト３０の構成を一部省略して示している。図２（ａ）に示すように、静電選別装置１０は、板状電極１６をドラム電極１４に対して遮蔽する機能を有し板状電極１６を取り囲むように配置された無端ベルト３０と、無端ベルト３０が架け渡されたローラ対３２とを備える。この無端ベルト３０は、ドラム電極１４によって回転搬送される破砕片ＰＳが静電場Ｍを通過する際に分離跳躍して板状電極１６に引き寄せられたときに外周面３０Ｓで受け止める機能を有する。これにより、板状電極１６に破砕片ＰＳが吸着するのを防止できる。この無端ベルト３０は、ナイロン樹脂やフッ素樹脂などの樹脂材料や、ゴムなど、絶縁性を有する高分子化合物によって構成されており、図２（ａ）に示すように板状電極１６と同等もしくはやや幅広に形成される。
【００２７】
図１に示すように、ローラ対３２は、上方に配置された駆動ローラ（第１ローラ）３２Ａと、下方に配置された従動ローラ（第２ローラ）３２Ｂと、によって構成され、駆動ローラ３２Ａの回転に伴って無端ベルト３０を搬送方向Ｃに沿って循環移動させる。
【００２８】
なお、駆動ローラ３２Ａを下方に配置し、従動ローラ３２Ｂを上方に配置してもよい。この場合には、駆動ローラ３２Ａが第２ローラに相当し、従動ローラ３２Ｂが第１ローラに相当する。
【００２９】
また、図２（ｂ）に示すように、駆動ローラ３２Ａは、軸方向中央部の直径の方が軸方向両端の直径よりも少しだけ大きくなるように形成するのが好ましい。従動ローラ３２Ｂについても駆動ローラ３２Ａと同様に軸方向中央部の直径の方が軸方向両端の直径よりも少しだけ大きくなるように形成することが好ましい。
【００３０】
このように両ローラ３２Ａ，３２Ｂの中央部における直径を軸方向両端よりも少しだけ大きくすることにより、無端ベルト３０を両ローラ３２Ａ，３２Ｂの両端部よりも中央部と強く接触した状態で架け渡すことができる。これにより、両ローラ３２Ａ，３２Ｂに対して無端ベルト３０がローラ中央部に位置決めされた状態となりローラ軸方向への無端ベルト３０の位置ずれを規制することができる。この結果、無端ベルト３０が蛇行してローラ対３２から外れて脱落してしまうことを防止できる。
【００３１】
上記構成により、静電場Ｍを通過する際に板状電極１６に引き寄せられて同電極１６に吸着しようとする破砕片ＰＳは、無端ベルト３０の外周面３０Ｓに吸着して受け止められ、無端ベルト３０によって搬送方向Ｃに沿って搬送される。これにより、正極である板状電極１６の引力の影響が小さくなる位置、すなわち、板状電極１６が無端ベルト３０を間に挟んでドラム電極１４と対向する領域の外側に破砕片ＰＳを搬送することができる。この結果、板状電極１６に引き寄せられた破砕片ＰＳを自重により下方に設置された回収容器２６に向かって落下させることができる。
【００３２】
また、図１に示すように、静電選別装置１０は、搬送方向Ｃにおける板状電極１６の下流側において、回転ブラシ（清掃手段）３６を備えるのが好適である。この回転ブラシ３６は、従動ローラ３２Ｂとの間で無端ベルト３０を挟み込むように配置されており、所定の回転方向Ｅに沿って回転することにより無端ベルト３０の外周面３０Ｓに残留する破砕片ＰＳを掃き落として直下方の回収容器２６に落下させる役割を有する。本実施形態では、清掃手段として回転ブラシ３６を備えているが、回転ブラシ３６の代わりにスクレーパなどのへら状部材を用いて無端ベルト３０の外周面３０Ｓから破砕片ＰＳを擦り取るようにしてもよい。
【００３３】
第１実施形態の静電選別装置１０によれば、静電場Ｍを通過する際に板状電極１６に引き寄せられた破砕片ＰＳの一部は板状電極１６に吸着しようとするが無端ベルト３０によって受け止められる。そして、無端ベルト３０によって受け止められた破砕片ＰＳは、無端ベルト３０の循環移動に伴って板状電極１６が無端ベルト３０を間に挟んでドラム電極１４と対向する領域の外側に搬送される。ドラム電極１４と対向する領域の外側では、同領域内よりも破砕片ＰＳが板状電極１６に引き寄せられる力が小さくなるため破砕片ＰＳは自重により下方に落下する。このようにして板状電極１６に破砕片ＰＳが付着するのを防止することができるため破砕片ＰＳの選別精度の低下を抑制できる。
【００３４】
次に、上述したローラ対３２および無端ベルト３０の変形例であり、無端ベルトの脱落を防止する機能を具備するローラ対１３２および無端ベルト１３０の構成について図２（ｃ）を用いて説明する。図２（ｃ）は、図２（ｂ）と同様にＦ−Ｆ線（図２（ａ）参照）で切断したときの駆動ローラ（第１ローラ）１３２Ａおよび無端ベルト１３０の構成を示す図である。
【００３５】
ここで、駆動ローラ１３２Ａとともにローラ対１３２を構成する従動ローラ（不図示）は、駆動ローラ１３２Ａと実質的に同一の構成を備えるため以下の説明では駆動ローラ１３２Ａについてのみ説明を行う。
【００３６】
駆動ローラ１３２Ａは、軸方向中央部において、ガイド溝１３２Ａ−１が周方向に沿って環状に設けられている点で上述した駆動ローラ３２Ａの構成と相違し、その他の構成については駆動ローラ３２Ａと共通する。
【００３７】
一方、無端ベルト１３０は、図２（ｃ）に示すように内周面１３０Ｈの幅方向中央部にガイド用の突起であるリブ１３０Ａが設けられている点で上述した無端ベルト３０の構成と相違し、その他の構成については無端ベルト３０と共通する。このリブ１３０Ａは、無端ベルト１３０の全周に亘って設けられており、駆動ローラ１３２Ａのガイド溝１３２Ａ−１および上述した従動ローラ（不図示）のガイド溝に各々嵌まり込んで案内されることにより、無端ベルト１３０の循環移動に伴う位置ずれを防止する機能を有する。この変形例においても無端ベルト１３０がローラ対３２から脱落することを防止できる。
【００３８】
また、駆動ローラ１３２Ａは、駆動ローラ３２Ａと同様に、軸端側から軸方向中央部のガイド溝１３２Ａ−１の方に向かって徐々に直径が大きくなるように構成されているが、ガイド溝１３２Ａ−１を除いて直径が一定の大きさとなるように構成してもよい。
【００３９】
上記変形例では、無端ベルト１３０に設けたリブ１３０Ａをローラ対１３２のガイド溝１３２Ａ−１に嵌まり込ませることで無端ベルト１３０の脱落を防止しているが、本発明は、これに限定されるものではない。例えば、無端ベルト３０がローラ対３２の軸方向に移動するのを規制する規制手段を別途設けてローラ対３２から無端ベルト３０が脱落するのを防止するようにしてもよい。この場合において、ローラ対３２を回転可能に支持する支持体に規制手段としての機能を具備させた変形例について以下において説明する。
【００４０】
図３（ａ）は、ローラ対３２を各々回転可能に支持する支持枠５０の構成を示す図である。図３（ｂ）は、同図（ａ）から無端ベルト３０を取り外した状態を示す図である。図３（ｃ）は、同図（ａ）に示す矢印Ｇの方向から見た場合の支持枠５０の側面構成を示す図である。
【００４１】
図３（ａ）〜図３（ｃ）に示すように、静電選別装置１０は、支持枠（規制手段）５０を備えてもよい。この支持枠５０は、金属製のたて枠５２Ａ，５２Ｂ、および、よこ枠５４Ａ，５４Ｂとからなる正面視略四角形状の外形をした枠であり、ローラ対３２を囲繞するように設けられている。この支持枠５０は、たて枠５２Ａ，５２Ｂを介してローラ対３２を回転可能に各々支持するとともに、帯電を防止するためにアース線（不図示）を介して接地されている。これにより、破砕片が支持枠５０に吸着することを防止できる。
【００４２】
ここで、たて枠５２Ａ，５２Ｂは同一の構成を備えるため、以下の説明では、たて枠５２Ｂについて主に説明を行う。図３（ｃ）に示すように、たて枠５２Ｂは、側面視において、無端ベルト３０が架け渡されたローラ対３２を覆うように取り付けられている。そして、無端ベルト３０が蛇行してローラ対３２の軸方向、すなわち、たて枠５２Ａまたはたて枠５２Ｂのいずれかに接近する方向に移動すると、たて枠５２Ａ，５２Ｂのいずれか一方に無端ベルト３０の幅方向における端部が当接することでローラ対３２の軸方向への移動が規制される。これにより、無端ベルト３０が蛇行してローラ対３２から脱落するのを防止できる。
【００４３】
本変形例では、ローラ対３２を回転可能に支持する支持部材を支持枠５０により構成し、同枠５０を用いて無端ベルト３０の脱落を防止しているが、規制手段は必ずしも支持部材で構成する必要は無い。例えば、無端ベルト３０が蛇行したときに同ベルト３０と当接する位置に規制手段として機能する規制板を設置して無端ベルト３０の脱落を防止するようにしてもよい。
【００４４】
また、例えば、ローラ対３２を構成する駆動ローラ３２Ａおよび従動ローラ３２Ｂの少なくとも一方の軸方向における両端側にフランジ（規制手段）を設けるようにしてもよい。この場合には、無端ベルト３０が蛇行した際、同ベルト３０がフランジに当接することによって同ベルト３０の脱落を防止できる。
【００４５】
続いて、図４を用いて第２実施形態の静電選別装置４０の構成について説明する。図４は、第２実施形態の静電選別装置４０の全体構成を示す図である。図４において、金属の破砕片ＭＥを「■」マークで示すとともに、プラスチックの破砕片ＰＬを「△」マークで示す。以下の説明では、第１実施形態の静電選別装置１０と構成の異なる部分についてのみ説明を行うものとし、構成の共通する部分については適宜同一の符号を付して示しつつ説明を省略する。
【００４６】
図４に示すように、静電選別装置４０は、導体である金属の破砕片ＭＥと、絶縁体であるプラスチックの破砕片ＰＬの混合物を金属の破砕片ＭＥとプラスチックの破砕片ＰＬとに選別処理する機能を有する。この静電選別装置４０は、高電圧電源１８の正極に接続された複数の針状電極からなるコロナ電極４２を板状電極１６の直上流側に備える点で上記静電選別装置１０の構成と異なる。コロナ電極４２は、ドラム電極１４に向かってコロナ放電することにより、ドラム電極１４によって回転搬送される各破砕片ＰＬ，ＭＥを帯電させる。
【００４７】
上記コロナ放電により正の電荷が付与された破砕片ＰＬ，ＭＥのうちプラスチックの破砕片ＰＬは、板状電極１６とドラム電極１４の間に形成される静電場Ｍを通過する際に負極であるドラム電極１４に吸着し、ドラム電極１４の直下方に配置された回収容器２２に落下する。
【００４８】
一方、金属の破砕片ＭＥは、ドラム電極１４に接触することによって反対電荷である負の電荷が与えられることにより中和され、さらにドラム電極１４から負の電荷が与えられるためドラム電極１４に対して反発力を生じドラム電極１４から分離跳躍して正極である板状電極１６に引き寄せられる。このため、側面視において、ドラム電極１４から最も離れた位置に配置された回収容器２６に落下して回収される。
【００４９】
第２実施形態の静電選別装置４０によれば、静電場Ｍを通過する際に破砕片ＭＥは板状電極１６に引き寄せられ、引き寄せられた破砕片ＭＥの一部は板状電極１６に吸着しようとするが、板状電極１６に吸着しようとする破砕片ＭＥは無端ベルト３０によって受け止められる。これらの無端ベルト３０によって受け止められた破砕片ＭＥは、無端ベルト３０の循環移動に伴って板状電極１６が無端ベルト３０を間に挟んでドラム電極１４と対向する領域の外側に搬送される。そして、同領域の外側では、同領域内よりも破砕片ＭＥが板状電極１６に引き寄せられる力が小さくなるため破砕片ＭＥは自重により下方に落下する。このように板状電極１６に破砕片ＭＥが付着するのを防止することができるため破砕片ＭＥの選別精度の低下を抑制できる。
【００５０】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００５１】
１０，４０    静電選別装置
１４    ドラム電極
１６    板状電極
３０，１３０    無端ベルト
１３０Ａ    リブ
１３０Ｈ    内周面
３２    ローラ対
３２Ａ，１３２Ａ    駆動ローラ（第1ローラ）
１３２Ａ−１    ガイド溝
３２Ｂ    従動ローラ（第２ローラ）
３６    回転ブラシ（清掃手段）
４２    コロナ電極
５０    支持枠（規制手段）
【図１】
2019209319.tif 000003
【図２】
2019209319.tif 000004
【図３】
2019209319.tif 000005
【図４】
2019209319.tif 000006